(57)【要約】【課題】廊下の空気の排出と、これに入れ換わって送り込む清浄な空気の供給とが、建物の廊下の構造に大きな変更を加えることなく、かつ、見苦しさを生ぜしめずに、効果的に行えるようにする。【解決手段】建物躯体１に装設せる廊下Ｐの天井部材４の左右の両側部位に、長尺の下向きチャンネル状に形成した化粧材のボックス３を配設し、それの廊下Ｐの天井部材４の上方に形成されるスペースＳに対し露出する上部側に、前記スペースＳに対し連通する排気用の開口ａと送気用の開口ｂとを、列状に並列させて開設し、その排気用の開口ａを、天井部材４上方のスペースＳまたはそのスペースＳに配設するダクト６を介して、建物躯体１に装設せる機械室２に配設する空調施設２０の空気取入口２０ａに連通させ、送気用の開口ｂを、送気ダクト７を介し前記空調施設２０の吐風口２０ｂと連通させる。【選択図】        図２
2004239547.tif 000002
【特許請求の範囲】
【請求項１】
建物躯体１に装設せる廊下Ｐの天井部材４の左右の両側部位に、アルミ合金などの軽金属材の押出し成形または鉄板などの金属板の折曲げ成形により長尺の下向きチャンネル状に形成した化粧材のボックス３を配設し、そのボックス３の、廊下Ｐの天井部材４の上方に形成されるスペースＳに対し露出する上部側に、前記スペースＳに対し連通する排気用の開口ａと送気用の開口ｂとを、そのボックス３の長手方向に適宜の間隔をおいて列状に並列させて開設し、その排気用の開口ａを、天井部材４上方のスペースＳまたはそのスペースＳに配設するダクト６を介して、建物躯体１に装設せる機械室２に配設する空調施設２０の空気取入口２０ａに連通させ、送気用の開口ｂを、送気ダクト７を介し前記空調施設２０の吐風口２０ｂと連通させて、空調施設２０の作動により、廊下Ｐの空気をその廊下Ｐの天井部材４の左右の両側部位に装設する下向きチャンネル状のボックス３の内腔を経て流れる排気および送気により換気するようにしたことを特徴とする建物の廊下の換気装置。
【請求項２】
建物躯体１に装設せる廊下Ｐの天井部材４の左右の両側部位に、アルミ合金などの軽金属材の押出し成形または鉄板などの金属板の折曲げ成形により長尺の下向きのチャンネル状に形成した化粧材のボックス３を配設し、そのボックス３の、廊下Ｐの天井部材４の上方に形成されるスペースＳに対し露出する上部側に、そのボックス３の内腔を前記スペースＳに対し連通させる開口ａ・ｂを、そのボックス３の長手方向に適宜の間隔をおいて列状に並列させて開設し、それら開口ａ・ｂを、ボックス３に並列させて前記スペースＳ内に配設するチャンバー９に接続連通し、そのチャンバー９の内腔を長手方向において、所定の範囲長さのゾーンｚ…に区画し、その区画したゾーンｚごとに、前記スペースＳ内に配設する排気ダクト６および送気ダクト７とに交互に接続し、その排気ダクト６と送気ダクト７とを、建物躯体１に設置せる空調施設２０の空気取入口と吐風口とに接続連通せしめて、空調施設２０の作動により廊下Ｐの換気が、廊下Ｐの天井部材４の左右の両側部位に配設せる長尺の下向きチャンネル状のボックス３の内腔を経て行われるようにしたことを特徴とする建物の廊下の換気装置。
【請求項３】
金属材で成形して、建物の廊下Ｐの天井部材４の左右の両側部位に配設する下向きチャンネル状のボックス３の、廊下Ｐの中央に向かう壁板３１の外面側に、天井部材４の下地材４１の左右の端部を支持せしめる係止棚３２を装設して、ボックス３が天井部材４の組付け用の支持部材を兼ねるようにしたことを特徴とする請求項１または請求項２記載の建物の廊下の換気装置。
【発明の詳細な説明】
【０００１】
【発明が属する技術分野】
本発明は、建物の廊下の空気を抽き出して排出させ、これに換えて新鮮なまたは清浄な空気を送給することで行う建物の廊下の換気手段についての改良に関する。
【０００２】
【従来の技術】
建物の廊下は、建物の出入口に続いていることで、通常は、部屋の換気のための排気口が廊下と部屋とを仕切る壁に設けられて、その排気口から吹き出される部屋の排気の排出路に用いて、換気を出入口の開閉の際の自然の換気にまかせ、格別の換気手段、また、換気のための排気手段が装備されないものとなっている。
【０００３】
火災の際の排煙手段として、大きな能力の排風機が装備される場合があるが、防災のためにだけであり、常時は作動させないものである。
【０００４】
【発明が解決しようとする課題】
建物の廊下は、建物が大きなビルの場合には、袋小路のようになる廊下が多くなり、空気の停滞が生ずるようになる問題がある。
【０００５】
また、建物の廊下は、換気のための排気口を設ける場合、建物の構造上、排気口を設置する個所に制約があり、換気のために望ましい個所に排気口を設けることが難しい問題がある。
【０００６】
本発明は、従前の建物の廊下の換気のために、廊下に空気排出用の排気口を設置する際に生じてくる上述の問題を解消せしめるためになされたものであって、廊下の空気の排出と、これに入れ換わって送り込む清浄な空気の供給とが、建物の廊下の構造に大きな変更を加えることなく、かつ、見苦しさを生ぜしめずに、効果的に行えるようにする新たな手段を提供することを目的とする。
【０００７】
【課題を解決するための手段】
この目的を達成するための手段として、本発明においては、建物躯体１に装設せる廊下Ｐの天井部材４の左右の両側部位に、アルミ合金などの軽金属材の押出し成形または鉄板などの金属板の折曲げ成形により長尺の下向きチャンネル状に形成した化粧材のボックス３を配設し、そのボックス３の、廊下Ｐの天井部材４の上方に形成されるスペースＳに対し露出する上部側に、前記スペースＳに対し連通する排気用の開口ａと送気用の開口ｂとを、そのボックス３の長手方向に適宜の間隔をおいて列状に並列させて開設し、その排気用の開口ａを、天井部材４上方のスペースＳまたはそのスペースＳに配設するダクト６を介して、建物躯体１に装設せる機械室２に配設する空調施設２０の空気取入口２０ａに連通させ、送気用の開口ｂを、送気ダクト７を介し前記空調施設２０の吐風口２０ｂと連通させて、空調施設２０の作動により、廊下Ｐの空気をその廊下Ｐの天井部材４の左右の両側部位に装設する下向きチャンネル状のボックス３の内腔を経て流れる排気および送気により換気するようにしたことを特徴とする建物の廊下の換気装置を提起するものである。
【０００８】
また、これに併せて、建物躯体１に装設せる廊下Ｐの天井部材４の左右の両側部位に、アルミ合金などの軽金属材の押出し成形または鉄板などの金属板の折曲げ成形により長尺の下向きのチャンネル状に形成した化粧材のボックス３を配設し、そのボックス３の、廊下Ｐの天井部材４の上方に形成されるスペースＳに対し露出する上部側に、そのボックス３の内腔を前記スペースＳに対し連通させる開口ａ・ｂを、そのボックス３の長手方向に適宜の間隔をおいて列状に並列させて開設し、それら開口ａ・ｂを、ボックス３に並列させて前記スペースＳ内に配設するチャンバー９に接続連通し、そのチャンバー９の内腔を長手方向において、所定の範囲長さのゾーンｚ…に区画し、その区画したゾーンｚごとに、前記スペース空間Ｓ内に配設する排気ダクト６および送気ダクト７とに交互に接続し、その排気ダクト６と送気ダクト７とを、建物躯体１に設置せる空間調設２０の空気取入口と吐風口とに接続連通せしめて、空調施設２０の作動により廊下Ｐの換気が、廊下Ｐの天井部材４の左右の両側部位に配設せる長尺の下向きチャンネル状のボックス３の内腔を経て行われるようにしたことを特徴とする建物の廊下の換気装置を提起するものである。
【０００９】
この本発明手段によるときは、建物の廊下の換気のための排気口と送気口とが、廊下の天井部の左右の両側部位に、天井板の見切りの化粧材として配設した下向きのチャンネル状のボックスの内腔を導風路とするように形成され、かつ、その内腔の、長手方向において所定の範囲長さに区分けされて並列するゾーンが交互に排気口と送気口とを形成するようになって、実質的には、そのボックスの下方の開放口が、そのボックスの長手方向において所定長さのゾーンごとに交互に排気口と送気口とを構成するようになるから、換気のための排気口と送気口とを、廊下の天井または仕切壁に格別の取付施工を行うことなく、廊下の略全体に装設し得るようになり、廊下の全体の換気を略均一に行えるようになる。
【００１０】
さらに、本発明においては、金属材で成形して廊下の天井部の左右の両側部位に配設する下向きのチャンネル状のボックスは、それらを、建物躯体に取り付けておくブラケットに組み付けることで、廊下の天井に施工する天井部材の組付部材とし得る充分な強度を保持するものとなることから、これらボックスの廊下の中央に向かう外面側に、天井部材の下地材に左右の両端部を支持せしめる係止突起部を装設しておいて、これらに天井板の下地材を支持せしめて取り付け、その下地材に天井ボードを組み付けることで、天井材の組み付け施工を行うようにする手段を併せて提起するものである。
【００１１】
【発明の実施の形態】
次に本発明の実施の態様を、実施例につき図面に随い説明する。
図１は、本発明による建物の廊下の換気手段を実施せる建物の一部の概要横断平面図で、同図において１は建物躯体、Ｒはその建物躯体１に装設した部屋、Ｐは廊下、２は機械室、３は廊下Ｐの天井部の左右の両側部位に装設した下向きのチャンネル状のボックスを示す。
【００１２】
ボックス３は、図２にあるように、建物の廊下Ｐの天井部材４の左右の両側部位に、天井ボード４０の見切りを化粧する縁材として装設するもので、アルミ合金などの軽合金材の押出し成形により同一の断面形状をもって長手方向に連続する長尺物に形成するか、鉄板などの金属材の折り曲げ成形により長尺物に形成したものであり、深さが略１２ｃｍで巾が１０ｃｍ程度の下向きのチャンネル状に形成してある。
【００１３】
そして、このボックス３は、それの天板３０の上面側に、長手方向視において、アリ溝を形成するように左右に一対に対向する突条３２・３２を一体に連続するよう形設しておいて、ここに嵌合する取付金具５０を、建物躯体１の構造体１０にボードアンカーより止着するブラケット金具５に、セットボルトによって連結することで、建物躯体１に対する取り付け施工が行われるようにしてある。
【００１４】
そしてまた、このボックス３の廊下Ｐの中央部に向かう側の外面側には、棚板状に突出する突条３３が補強リブを具備せしめて装設してあり、この突条３３により天井部材４０の下地材４１の左右の両端部が取り付けられるようにしてある。
【００１５】
この下地材４１は、それの左右の中間部を、別に建物躯体１の天井裏の梁材または上階の床部材から垂設する吊金具４２により支持されるようにしてよい。
【００１６】
さらに、このボックス３の長手方向視における左右の下端縁には、それぞれ外側に張り出す化粧縁３４が形設してあり、それの廊下Ｐの中央に向かう側の化粧縁３４に、前述の下地材４１の下面に取り付ける天井ボード４０の端縁を支持させ、また、これと反対側の化粧縁３４を、建物躯体１の壁などの構造体に接合して連結することで、位置決めの定規とするようにしている。
【００１７】
このように、下向きのチャンネル状に形成して、廊下Ｐの天井部材４の左右の両側位置に組み付けるボックス３には、それの天井部材４よりの上方に突出する部位に開口を開設する。
【００１８】
開口は、廊下Ｐの換気を、この廊下Ｐの天井部材４の左右の両側部位に配設する下向きチャンネル状のボックス３の内腔を導風路に利用して行わすためのものであり、廊下Ｐおよび部屋Ｒの天井裏または天井と上階の床部材との間に形成されるスペースＳに配設する排気ダクト６に対し接続させることにより排気を行わすための排気用の開口ａと、同様に前記スペースＳに配設する送気ダクト７に対して接続させることにより送気を行わすための送気用の開口ｂとである。
【００１９】
この排気用の開口ａと送機用の開口ｂとは、ボックス３の、廊下Ｐの天井部材４の上方に形成されるスペースＳに対して露出していく部位の適宜の個所に設ければよいものであるが、実施例においては、図３および図４に示しているよう、ボックス３の天板３０の略中央部と左右の壁板３１のうちの廊下Ｐの中央に向かう側の壁板３１の上半側の部位とに、それぞれボックス３の長手方向に沿い適宜長さで連続する長穴状のスリットとして長手方向に適宜の間隔をおいて列状に並列するように開設し、これにより、ボックス３の略全長に渡る範囲にこの開口ａ・ｂが装設された態様としている。
【００２０】
これらボックス３の天板３０および左右の壁板３１に開設する開口ａ・ｂは、それらを排気用・および送気用の何れに選択してよいものであるが、この例においては、天板３０に開設する開口ｂを送気用とし、壁板３１に開設する開口ａを排気用とするようにしている。このため、これら開口ａ・ｂは、図３および図４にあるように、壁板３１に開設する開口ａと天板３０に開設する開口ｂとが、ボックス３の長手方向において、互いに喰い違って位置するようにし、これにより、ボックス３の内腔において開口ａから排出されていく排気の流れと、開口ｂから送り出されてくる送気の流れとの干渉がないようにしている。
【００２１】
図２において、８および９は廊下Ｐの天井裏の空間に配設した排気用のチャンバーおよび送気用のチャンバーであり、それぞれボックス３に対し長手方向に並列する長大な角箱状に形成してある。
【００２２】
そして、送気用のチャンバー９にあっては、ボックス３の天板３０の上面に積み重ねるように載架して、それの底面をボックス３の天板３０に開設した開口ｂに接続連通させてある。このとき、このチャンバー９は、それの底面側をそっくり開放させた形状に形成しておいて、ボックス３の天板３０の上面に継ぎ合わせるように接続させることにより、チャンバー９の内腔がボックス３の天板３０に開設した開口ｂと連通するようにしてもよい。
【００２３】
また、排気用とするチャンバー８にあっては、ボックス３の廊下Ｐの中央に向かう壁板３１の外面に沿う位置に配位して、それの下端側をボックス３の壁板３１に対し接合して閉じ合わせ、それの内腔を前記壁板３１に開設した排気用の開口ａと連通させ、また、適宜の取付金具８０により送気用のチャンバー９に対し連結して支持させている。
【００２４】
これらチャンバー８・９に接続した送気用の送気ダクト７および排気用の排気ダクト６は、ボックス３の天板３０の上面に載架した送気用のチャンバー９に接続する送気ダクト７にあっては、それの先端側が、図１に示しているように建物躯体１に設けられる機械室２内に設置される空気清浄機または空調施設２０の吐風口に対し接続し、また、排気ダクト６にあっては、それの先端側が前述の空気清浄機または空調施設２０の空気取入口に接続させてあって、これにより空気清浄機または空調施設２０の作動により、廊下Ｐの空気が、廊下Ｐの天井部材４の左右の両側部位に配設した下向きチャンネル状のボックス３の内腔を経て、そのボックス３に設けた開口ａから抽き出されて空調施設２０の空気取入口に吸引され、これに換わって空調施設２０の吐風口から吹き出される新鮮な空気が送気ダクト７から送気用のチャンバー９を経て、ボックス３の内腔に吹き出されて廊下Ｐに流れるようにしている。
【００２５】
この手段において、ボックス３に開設する開口ａ・ｂは、例えば、ボックス３の天板３０にだけ、長手方向に所定の間隔をおいて列状に開設しておき、このボックス３の天板３０の上面に載架するチャンバー９の内腔を、図５にあるように、長手方向において、一定範囲長さのゾーンｚ…に区画し、その区画したゾーンｚごとに、送気ダクト７と排気ダクト６とを交互に接続し、それらダクト６・７を、送気用と排気用ごとに集めて空調施設２０の吐風口と空気取入口とに接続するようにする場合がある。
【００２６】
次に図７および図８は、別の実施例を示している。この例は、廊下Ｐの左右の両側に、下向きのチャンネル状の化粧材のボックス３・３を配設し、そのボックス３・３の廊下Ｐの天井部材４の上方のスペースＳに露出する部位となる天板３０または壁板３１・３１とに、空調施設２０の吐風口２０ｂから吐出させる清浄な空気を廊下Ｐに向けて吹き出させるための送気用の開口ｂと、廊下Ｐの空気を取り込んで前述の空調施設２０の空気取入口２０ａに導くための排気用の開口ａとを、ボックス３・３の長手方向に沿う列状に開口し、その送気用の開口ｂと排気用の開口ａとを、建物躯体１に施設した機械室２内に設置されている空調施設２０の吐風口２０ｂと空気取入口２０ａとに接続させるようにすることについては、前述した実施例と変わりがない。
【００２７】
そして、このボックス３・３の天井部材４の上方のスペースＳに露出する部位に設ける送気用の開口ｂと排気用の開口ａとを、送気用の開口ｂにあっては、スリット状に形成して、ボックス３の天板３０に、それの長手方向に所定の間隔をおいて列状に開設し、排気用の開口ａにあっては、同様にスリット状に形成してボックス３・３の左右の壁板３１・３１のうちの、ボックス３・３同志の対向側の壁板３１に、長手方向に所定の間隔をおいて列状に開設することについても、前述の図３および図４に示している例と変わりがない。
【００２８】
しかし、このボックス３の天板３０に開設した送気用の開口ｂ…は、図７にあるように、ボックス３の天板３０の上面には、各送気用の開口ｂごとに分割したチャンバー９ａを組み付けておいて、それらチャンバー９ａ…に、それぞれフレキシブルな送気ダクト７ａ…を接続し、それら送気ダクト７ａ…を集合させて、空調施設２０の吐風口２０ｂに接続しておいて、空調施設２０の吐風口２０ｂから吐出する清浄な空気が、ボックス３の天板３０の各送気用の開口ｂを吹出口として廊下Ｐに吹き出されるようにする。
【００２９】
そして、ボックス３の壁板３１に開設する排気用の開口ａ…は、廊下Ｐの天井裏のスペースＳ内に開放したままとし、空調施設２０の汚れた空気を取り込む空気の取入口２０ａを、適宜のダクトを介して天井裏のスペースＳに連通させることで、廊下Ｐの汚れた空気が、この排気用の開口ａ…から、天井裏のスペースＳ内に排出されて、そのスペースＳを経て空調施設２０の空気の取入口２０ａに取り入れられていくようにしている例である。
【００３０】
このように、廊下Ｐの空気の換気のための排気は、天井裏のスペースＳを導風路に利用して行う場合がある。
【００３１】
【発明の効果】
以上説明したように、本発明による建物の廊下の換気手段は、建物の廊下の換気のための排気口と送気口とが、廊下の天井部の左右の両側部位に、天井板の見切りの化粧材として配設した下向きのチャンネル状のボックスの内腔の、長手方向において所定の範囲長さに区分けされて並列するゾーンが交互に排気口と送気口とを形成するようになって、実質的には、そのボックスの下方の開放口が、そのボックスの長手方向において所定長さのゾーンごとに交互に排気口と送気口とを構成するようになるから、換気のための排気口と送気口とを、廊下の天井または仕切壁に格別の取付施工を行うことなく、廊下の略全体に装設し得るようになり、廊下の全体の換気を略均一に行えるようになる。
【図面の簡単な説明】
【図１】本発明手段を実施せる建物の一部を省略した横断平面図である。
【図２】同上の要部の縦断側面図である。
【図３】同上の長尺の下向きチャンネル状のボックスの一部省略した平面図である。
【図４】同上のボックスの一部省略した正面図である。
【図５】同上の別の実施例の要部の一部省略した斜視図である。
【図６】同上の実施例のチャンバーを接続する前の状態の斜視図である。
【図７】同上のさらに別の実施例の要部のチャンバーを組み付ける前の状態の斜視図である。
【図８】同上の実施例の要部の斜視図である。
【符号の説明】
Ｐ…廊下、Ｒ…部屋、Ｓ…空間、ａ…排気用の開口、ｂ…送気用の開口、ｚ…ゾーン、１…建物躯体、１０…構造体、２…機械室、２０…空調施設２０ａ…空調施設の空気の取入口、２０ｂ…空調施設の吐風口、３…ボックス、３０…天板、３１…壁板、３２…係止棚、３３…突状、３４…化粧縁、４…天井部材、４０…天板ボード、４１…下地材、４２…吊金具、５…ブラケット金具、５０…取付金具、６…排気ダクト、７…送気ダクト、８…排気用のチャンバー、８０…取付金具、９…送気用のチャンバー。
【図１】
2004239547.tif 000003
【図２】
2004239547.tif 000004
【図３】
2004239547.tif 000005
【図４】
2004239547.tif 000006
【図５】
2004239547.tif 000007
【図６】
2004239547.tif 000008
【図７】
2004239547.tif 000009
【図８】
2004239547.tif 000010